(57)【要約】      （修正有）【課題】洗顔ブラシの毛と使用者の顔との間の接触面積をいかに増加して位置が異なるときの接触面積を減らさないよう電気クリーニング装置を提供する。【解決手段】装置は、主本体１１０、動力源、伝動シャフト、支持スタンド、及び複数個のブラシヘッドを備える。動力源を主本体内に配置する。伝動シャフトの一方の端部を動力源に連結するとともに、伝動シャフトの他方の端部を主本体から突出させ、かつ支持スタンドに連結する。ブラシヘッド１５０は屈撓可能に支持スタンドに組み付け、包囲形状をなすようにする。さらに動力源は伝動シャフト及び支持スタンドを介してブラシヘッドを振動させる。【選択図】図１
2017051586.tif 000002
【特許請求の範囲】
【請求項１】
人間の顔を洗浄する電気クリーニング装置において：
主本体と；
前記主本体内に配置した動力源と；
一方の端部を前記動力源に連結し、また他方の端部を前記主本体から突出させた伝動シャフトと；
前記伝動シャフトの前記他方の端部に連結した支持スタンドと；及び
前記支持スタンドに屈撓可能に組み付けて包囲形状を形成する複数のブラシヘッドと；
を備え、前記動力源は前記伝動シャフト及び前記支持スタンド経由で前記ブラシヘッドを駆動して振動させ、各ブラシヘッドは頂点を有し、これら頂点が前記包囲形状の中心を形成する、電気クリーニング装置。
【請求項２】
請求項１記載の電気クリーニング装置において、前記各ブラシヘッドは：
前記支持スタンドに組み付け、また前記支持スタンドから間隔を維持するベースと；及び
前記ベースに配置し、また支持スタンド側とは反対側の側面に位置する複数のブラシ毛と；
を有する、電気クリーニング装置。
【請求項３】
請求項２記載の電気クリーニング装置において、前記ベースは前記ブラシ毛側とは反対側にフックを有し、前記支持スタンドは複数の係止孔を有し、前記フックが対応する係止孔に屈撓可能に係止して、ブラシヘッドを前記支持スタンドに組み付ける、電気クリーニング装置。
【請求項４】
請求項３記載の電気クリーニング装置において、前記フックの組み付け方向に沿うサイズは前記係止孔の前記組み付け方向に沿うサイズよりも大きくし、前記係止孔と前記フックとの間に間隙を生じ、前記組み付け方向は前記ブラシ毛の延在方向に平行であるものとする、電気クリーニング装置。
【請求項５】
請求項３記載の電気クリーニング装置において、前記各係止孔は前記ベースに向かって外方に拡開する輪郭を有する、電気クリーニング装置。
【請求項６】
請求項３記載の電気クリーニング装置において、前記支持スタンドは：
前記伝動シャフトの前記他方の端部に結合した伝動部と；及び
前記伝動部に嵌合し、係止孔を有する支持部と；
を有する、電気クリーニング装置。
【請求項７】
請求項２記載の電気クリーニング装置において、前記ベースは弾性を有する、電気クリーニング装置。
【請求項８】
請求項２記載の電気クリーニング装置において、前記ベースは透光性を有する、電気クリーニング装置。
【請求項９】
請求項２記載の電気クリーニング装置において、さらに、前記主本体と前記動力源との間に配置した複数の光源を備え、前記光源は、前記伝動シャフトを包囲して、前記支持スタンド及び前記ベース経由で前記ブラシ毛から出射される光を発生する、電気クリーニング装置。
【請求項１０】
請求項２記載の電気クリーニング装置において、前記主本体は、前記ブラシヘッドに向かうたらい状外側カバーを有し、前記各ベースはたらい状外側カバーの周縁から距離を維持する、電気クリーニング装置。
【請求項１１】
請求項２記載の電気クリーニング装置において、第１ブラシヘッド、第２ブラシヘッド、及び第３ブラシヘッドを備え、第１ブラシヘッドにおける外側端縁の円弧角度は、第２ブラシヘッド及び第３ブラシヘッドにおける外側端縁の円弧角度よりも小さくし、また第２ブラシヘッド及び第３ブラシヘッドにおける外側端縁の円弧角度は互いに等しく、かつ包囲形状における中心を通過する中心軸線に関して互いに対称的にする、電気クリーニング装置。
【請求項１２】
請求項１１記載の電気クリーニング装置において、前記各ブラシヘッドは、複数の第１ブラシ毛及び複数の第２ブラシ毛を有し、前記第１ブラシ毛は前記包囲形状の中心に近い位置に配置し、前記第２ブラシ毛は包囲形状の中心から離れて前記第１ブラシ毛を包囲し、前記第１ブラシ毛は透光性材料で形成し、また第２ブラシ毛は不透明材料で形成する、電気クリーニング装置。
【請求項１３】
請求項１１記載の電気クリーニング装置において、第１ブラシヘッドに配置したブラシ毛の硬度は、第２ブラシヘッドに配置したブラシ毛の硬度及び第３ブラシヘッドに配置したブラシ毛の硬度よりも小さいものとする、電気クリーニング装置。
【発明の詳細な説明】
【技術分野】
【０００１】
本発明は、クリーニング装置、及びとくに電気洗顔装置に関する。
【背景技術】
【０００２】
洗顔は日課の一部である。洗顔によって顔におけるほこり及びオイルを洗い流すことができ、また皮膚の穴が詰まるのを防止することができる。しかし、顔用ローションの発泡効果は、素手だけで擦る場合には望ましいものではない。この問題を解決するために、すでに洗顔ブラシが市場に存在している。この洗顔ブラシは、動力機構で外側面に配置したブラシ毛を駆動して振動させ、振動するブラシ毛で顔を擦ることによって機能する。このようにして、洗顔剤は細かい泡を発生し、これら泡を皮膚内に深く進入させ、毛穴汚れ除去及び皮膚再活性化効果を伴う望ましい清浄化効果を得ることができる。
【発明の概要】
【発明が解決しようとする課題】
【０００３】
しかし、従来型の洗顔ブラシは実際の使用にあたり以下の現象を依然として呈する。第１に、ブラシ毛の表面輪郭が一定であり、したがって、ブラシ毛を固定するとき、使用者の顔に対する表面輪郭の接触角度も一定となる。しかし、異なる個人の顔の形状は異なっており、顔の異なる部分も異なる輪郭を有する。したがって、高速で振動するとき、固定のブラシ毛は水又は洗顔剤をはじき飛ばし、その周囲をきれいにはしない。さらに、使用者がブラシ毛を皮膚に押し当てる強度を上手にコントロールできず、強すぎる力を加える場合、皮膚は過剰刺激によってダメージを受けることがあり得る。さらに、ブラシ毛と顔との間における異なる接触角度に起因して、期待するほどのクリーニング効果を得るのが困難である。
【０００４】
上述のことから、洗顔ブラシの毛と使用者の顔との間の接触面積をいかに増加して位置が異なるときの接触面積を減らさないようにするかは、うまく機能させることに関連する研究上の問題である。
【課題を解決するための手段】
【０００５】
本発明は、電気クリーニング装置を使用者の顔にフィットさせる程度を、ブラシヘッドの表面輪郭及びその相対屈撓可能性を利用することによって改善する電気クリーニング装置を提供する。
【０００６】
本発明の実施形態は、主本体、動力源、伝動シャフト、支持スタンド、及び複数個のブラシヘッドを備える電気クリーニング装置を提供する。動力源は主本体内に配置する。伝動シャフトの一方の端部を動力源に連結するとともに、伝動シャフトの他方の端部を主本体から突出させ、かつ支持スタンドに連結する。ブラシヘッドは屈撓可能に支持スタンドに組み付け、包囲形状をなすようにする。さらに動力源は伝動シャフト及び支持スタンドを介してブラシヘッドを振動させる。各ブラシヘッドは頂点を有し、頂点は包囲形状の中心を形成する。
【発明の効果】
【０００７】
上述の構成に基づいて、本発明電気クリーニング装置は包囲形状をなす複数個のブラシヘッドを使用することによって異なる方向に振動作用を付与することができ、これにより、使用者がきれいにしようとする部分の清浄化効果を向上することができる。さらに、ブラシヘッドは支持スタンドに屈撓可能に配置するので、各ブラシヘッドと支持スタンドとの間に揺動する屈撓可能性を生ずる。したがって、装置を使用するとき、ブラシヘッドはより使用者の顔にぴったり適合することができる。
【図面の簡単な説明】
【０００８】
【図１】本発明の実施形態による電気クリーニング装置の概略図である。
【図２】図１に示す電気クリーニング装置の分解斜視図である。
【図３】図１に示す電気クリーニング装置の異なる視点から見た分解斜視図である。
【図４】図２に示す動力源の正面図である。
【図５】図１に示す電気クリーニング装置の部分断面図である。
【図６】人間の顔の洗浄すべき部分に対応する電気クリーニング装置を示す概略図である。
【図７】ブラシヘッドを示す概略図である。
【発明を実施するための形態】
【０００９】
以下に、添付図面に例として示す本発明の好適な実施形態につき詳細に説明する。可能な限り同一参照符号を図面及び説明に使用して、同一又は類似部分を表す。
【００１０】
図１は、本発明の実施形態による電気クリーニング装置の概略図である。図２及び３は、図１に示す電気クリーニング装置をそれぞれ異なる視点から見た分解斜視図である。ここで、図２は破線で主本体の一部を示し、関連コンポーネントの連結相関性を示す。図１〜３を同時に参照すると、この実施形態において、電気クリーニング装置１００は、主本体１１０、動力源１２０、伝動シャフト１３０、支持スタンド１４０、及び複数個のブラシヘッド１５０を備える。この主本体１１０は、保持部１１２、連結部１１４、及びたらい状外側カバー１１６を有する。さらに、連結部１１４は、保持部１１２の端部とたらい状外側カバー１１６との間を組み合わせる。実質的には、連結部１１４を保持部１１２の外側リング１１２ｂに結合し、またたらい状外側カバー１１６は、たらい状外側カバー１１６の結合部１１６ｂを使用して連結部１１４の内側端縁に結合する。動力源１２０は主本体１１０の保持部１１２の内側に配置する。伝動シャフト１３０は湾曲形状とする。伝動シャフト１３０の第１端部Ｅ１は動力源１２０に連結し、また伝動シャフト１３０の第２端部Ｅ２は、保持部１１２から開口１１２ａから突出した後、連結部１１４及びたらい状外側カバー１１６に挿通する。支持スタンド１４０は、伝動シャフト１３０の第２端部Ｅ２に連結し、またたらい状外側カバー１１６内に収容する。ブラシヘッド１５０は、それぞれ支持スタンド１４０に屈撓可能に組み付け、また全体として包囲形状Ｖ１を形成する。さらに、動力源１２０によって発生した動力は、伝動シャフト１３０及び支持スタンド１４０を介してブラシヘッド１５０を駆動して振動させる。したがって、使用者は、この振動するブラシヘッド１５０を用いて洗顔することができる。
【００１１】
図面に示すように、この実施形態においては、３個のブラシヘッド１５０を支持スタンド１４０に組み付け、包囲形状Ｖ１を形成する。さらに、各ブラシヘッド１５０は頂点１５１を有する。ブラシヘッド１５０を組み付けた後、頂点１５１は包囲形状Ｖ１の中心Ｖ２を形成する。すなわち、ブラシヘッド１５０は、支持スタンド１４０に組み付け、また扇状形態に分割される。しかし、本発明は、ブラシヘッド１５０の個数を限定することは意図しない。
【００１２】
この実施形態において、各ブラシヘッド１５０はベース１５２及び複数のブラシ毛１５４を有し、また支持スタンド１４０は伝動部１４２及び支持部１４４を有する。さらに、伝動部１４２は伝動シャフト１３０の第２端部Ｅ２に結合し、また支持部１４４は、伝動部１４２に嵌合し、またたらい状外側カバー１１６の収容空間内に配置する。ベース１５２は支持スタンド１４０の支持部１４４に屈撓可能に組み付け、またブラシ毛１５４の一方の端部をベース１５２の開口１５２ａに挿入して拘束する。さらに、支持部１４４は、フック１４４ｂを使用することによって、たらい状外側カバー１１６の係止溝１１６ａに係止し、支持スタンド１４０の支持部１４４とたらい状外側カバー１１６との間における主本体１１０の連結構体として作用する。さらに、ベース１５２はブラシ毛１５４側とは反対側にフック１５６（図３に示す）を有し、また支持スタンド１４０の支持部１４４は複数の係止孔１４４ａを有する。フック１５６はそれぞれに対応する係止孔１４４ａに屈撓可能に係止して、ブラシヘッド１５０を支持スタンド１４０に組み付ける。
【００１３】
図４は図２に示した動力源を示す正面図である。図２〜４を同時に参照すると、この実施形態において、動力源１２０は、電磁石１２２、固定ベース１２４、振動シート１２６、磁石１２８及び伝動ベース１２１を有する。電磁石１２２は、馬蹄形ケイ素鋼プレート１２２ａ及び磁力線ベース１２２ｂを積層させることによって形成したフェライトコア構体とし、また磁力線ベース１２２ｂは電磁石１２２の中央に配置する。電流が電磁石１２２に流れるとき、図４に示す磁力線を発生する。固定ベース１２４は主本体１２０に固定する。振動シート１２６は、例えば、屈撓可能なスチール製のシートとする。振動シート１２６の一方の端部を固定ベース１２４に固定し、また振動シート１２６の他方の端部を伝動ベース１２１に固定する。磁石１２８は伝動ベース１２１に配置し、また振動シート１２６及び伝動ベース１２１は磁石１２８側とは反対側で連結する。一方、磁石１２８の両側の端部はそれぞれ電磁石１２２のケイ素鋼プレート１２２ａの両側の端部にも対応する。
【００１４】
この構成において、電磁石１２２に通電して磁界を発生するとき、磁石１２８は磁力線（図面に破線で示す）の影響の下に左右に揺動（振動）する。このような状況の下で伝動ベース１２１も左右に揺動し、したがって、第１端部Ｅ１を伝動ベース１２１に連結した伝動シャフト１３０を、図面に双方向矢印で示すように揺動（振動）させ、これにより支持スタンド１４０を介してブラシヘッド１５０を振動させる。図４のこの実施形態には２個の磁石１２８を示したが、磁石の個数はこれに限定されないことに留意されたい。本明細書に示さない他の実施形態において、単に１個の磁石（その形状及びサイズは図４に示す磁石１２８を合体させたものに等しい）を伝動ベース１２１に配置することができる。
【００１５】
図５は、図１に示す電気クリーニング装置の部分断面図である。図２，３及び５を一緒に参照して説明すると、この実施形態においてブラシヘッド１５０は、ベース１５２のフック１５６と支持スタンド１４０の係止孔１４４ａとの間の係止構体のサイズ差を利用する設計により、支持スタンド１４０に対しても移動することができる。
【００１６】
より具体的には、フック１５６の組み付け方向に沿うサイズは、係止孔１４４ａの組み付け方向に沿うサイズよりも相当大きくし、またフック１５６と係止孔１４４ａとの間に間隙Ｇ１を設ける。さらに、組み付け方向は、ブラシ毛１５４の延在方向、すなわち、図面の軸線Ｘ１の方向に対して平行とする。一方、この実施形態のベース１５２は弾性を有し、また例えばシリコーンゴムのような材料で形成し、ベース１５２が支持スタンド１４０の支持部１４４に対して揺動できるようにする。さらに、係止孔１４４ａはベース１５２に向かって外方に拡開する形状を有するため、ブラシヘッド１５０のベース１５２には、支持スタンド１４０によって振動するよう駆動されるとき、揺動の追加的な屈撓性を付与する。
【００１７】
上述のことに基づいて、ベース１５２の材料特性（弾性であること）及びベース１５２のフック１５６と支持部１４４の係止孔１４４ａとの間における連結構造の特性を利用することにより、この実施形態のブラシヘッド１５０には、支持スタンド１４０によって駆動されるときの揺動における追加的屈撓性が付与され、使用者の顔輪郭にぴったりと適合できるようになる。このようにして、ブラシ毛１５４が顔の異なる部分に接触する場合でも、ブラシ毛１５４と顔との間の接触面積は依然として維持される。換言すれば、ブラシヘッド１５０の可動構体により、この実施形態の電気クリーニング装置１００の顔輪郭に対する適合性が増加する。例えば、この実施形態における３個のブラシヘッド１５０が使用者の顔に接触するとき、各ブラシヘッド１５０と支持スタンド１４０との間における使用者の顔輪郭に対応する異なる相対距離及び変形状態が存在し、したがって、ブラシヘッド１５０のブラシ毛１５４が顔表面に対して確実に効果的な接触を生ずることができるようにする。
【００１８】
さらに、応力が加わらない条件では、ブラシヘッド１５０のベース１５２もたらい状外側カバー１１６の周囲から距離を維持し、ベース１５２が顔輪郭に対応して変形又は移動する空間を付与する。
【００１９】
図２に再び戻って説明すると、この実施形態において、電気クリーニング装置１００は、さらに、複数個の光源１６０、例えば、複数個の発光ダイオードを有する。これら光源１６０は主本体１１０と動力源１２０との間に伝動シャフト１３０を包囲するよう配置し、また主本体１１０内に配置した電源（図示しないが、この電源はこの実施形態における動力源１２０が必要とする電源と同一のものとすることができる）に電気的に接続する。さらに、支持スタンド１４４及びブラシヘッド１５０のベース１５２は透光性のものとする。したがって、光は、支持スタンド１４４及びベース１５２を経由してブラシ毛１５４間の空間から出射することができる。したがって、光源１６０は殺菌光ビーム（例えば、紫外線光）を発生し、これにより使用者の清浄化効果を促進することができる。この場合、光源１６０を配置する位置は限定されない。光源１６０は主本体１１０内にも配置することができ、ブラシヘッド１５０に対面させてブラシヘッド１５０から出射する光を発生することができる。
【００２０】
図６は、人間の顔の洗浄すべき部分に対応する電気クリーニング装置を示す概略図である。図７はブラシヘッドを示す概略図である。図６，７を同時に参照して説明すると、電気クリーニング装置１００は、３個のブラシヘッド、すなわち第１ブラシヘッド１５０Ａ、第２ブラシヘッド１５０Ｂ、及び第３ブラシヘッド１５０Ｃを有する。３個のブラシヘッド１５０Ａ、１５０Ｂ、１５０Ｃはほぼ三角形的な配列にし、第１ブラシヘッド１５０Ａにおける外側端縁の円弧角度θ１は、第２ブラシヘッド１５０Ｂにおける外側端縁の円弧角度θ２及び第３ブラシヘッド１５０Ｃにおける外側端縁の円弧角度θ３よりも小さくするとともに、第２ブラシヘッド１５０Ｂ及び第３ブラシヘッド１５０Ｃにおける外側端縁の円弧角度θ２及びθ３は互いに等しくし、また包囲形状Ｖ１における中心Ｖ２を通過する中心軸線Ｌ１に関して互いに対称的にする。
【００２１】
したがって、円弧角度θ２及びθ３とは異なる円弧角度θ１を設計することによって、第１ブラシヘッド１５０Ａが対応して洗顔できる人間の顔部分も第２ブラシヘッド１５０Ｂ及び第３ブラシヘッド１５０Ｃが対応して洗顔できる人間の顔部分とは異なるようにすることができる。図６に示す人間の顔部分につき説明すると、幾つかの部分は小さめのフレア角度、例えばθA1〜θA7を有する。これら部分のフレア角度は約７５°〜１２０゜の角度である。したがって、これら角度は小さめの円弧角度を有する第１ブラシヘッド１５０Ａにより洗浄することができる。フレア角度θB1〜θB4を有する部分に関しては、これら部分は約１２５゜以上の大きめの角度を有するしたがって、これら部分は大きめの円弧角度を有する第２ブラシヘッド１５０Ｂ及び第３ブラシヘッド１５０Ｃにより洗浄するのが好適である。
【００２２】
さらに、第１ブラシヘッド１５０Ａに配置したブラシ毛１５４Ａ及び１５４Ｄの硬度は、第２ブラシヘッド１５０Ｂに配置したブラシ毛１５４Ｂ及び１５４Ｅの硬度並びに第３ブラシヘッド１５０Ｃに配置したブラシ毛１５４Ｃ及び１５４Ｆの硬度よりも小さいものとする。したがって、人間の顔部分に対応して当てられるとき、柔らかめのブラシ毛１５４Ａ及び１５４Ｄを有する第１ブラシヘッド１５０Ａは、小さ目のフレア角度θA1〜θA7を有する部分を洗浄することができ、また柔らかめのブラシ毛１５４Ａ及び１５４Ｄは撓んでより深く洗浄することができる。一方、大きめの円弧角度を有する部分、例えば、フレア角度θB1〜θB4を有する部分に関しては、これら部分の輪郭がより平坦であることから、より硬めのブラシ毛１５４Ｂ及び１５４Ｅ並びにブラシ毛１５４Ｃ及び１５４Ｆが大きな面積の洗浄を行うことができる。
【００２３】
それに加えて、各ブラシヘッドのブラシ毛は一層区別を付けることができる。光源１６０はブラシヘッドから出射される殺菌光を発生するため、この実施形態において、ブラシヘッド１５０Ａは、ブラシ毛１５４Ｄは包囲形状Ｖ１の中心Ｖ２に近い位置に配置し、ブラシ毛１５４Ａは包囲形状Ｖ１の中心Ｖ２から離れてブラシ毛１５４Ｄを包囲するようにしてブラシ毛１５４Ａ及びブラシ毛１５４Ｄを設ける。より重要なことには、ブラシ毛１５４Ｄを透光性材料で形成するとともに、ブラシ毛１５４Ａを不透明材料で形成し、光源１６０はほぼブラシ毛１５４Ｄに対応する。したがって、光源の光はブラシヘッド１５４Ａのブラシ毛１５４Ｄを透過する。同様に、第２ブラシヘッド１５０Ｂは透光性ブラシ毛１５４Ｅ及び不透明ブラシ毛１５４Ｂを有し、第３ブラシヘッド１５０Ｃは透光性ブラシ毛１５４Ｆ及び不透明ブラシ毛１５４Ｃを有する。ブラシヘッド１５０Ａ、１５０Ｂ、１５０Ｃを組み合わせた後には、透光性ブラシ毛１５４Ｄ、１５４Ｅ、１５４Ｆがともに包囲輪郭を形成する一方、不透明ブラシ毛１５４Ａ、１５４Ｂ、１５４Ｃがともに包囲した中空輪郭を形成して透光性ブラシ毛１５４Ｄ、１５４Ｅ、１５４Ｆを包囲する。したがって、内側に位置する透光性ブラシ毛１５４Ｄ、１５４Ｅ、１５４Ｆは、光源１６０の光を使用して、人間の顔におけるθC1のフレア角度を有する部分、例えば、鼻の部分を洗浄することができ、したがって、殺菌光を用いて鼻における毛穴の黒ずみを効果的に洗浄することができる。しかし、この実施形態は光源１６０の放射レンジの限定を意図するものではない。放射レンジは必要とされる洗浄条件に基づいて適正に調整することができる。
【００２４】
上述のことから、本発明の実施形態において、電気クリーニング装置は、包囲形状を形成する複数個のブラシヘッドを使用して異なる方向への振動効果を発揮することができ、これにより使用者が洗浄しようとする部分の清浄化効果を改善することができる。さらに、ブラシヘッドのベースと支持スタンドの支持部との間における連結構造、すなわち、フックと係止孔との間におけるサイズ差及び間隙により、ベースは、支持部によって駆動される運動に加えての追加的な揺動屈撓性を得ることができる。その一方で、ベースは弾性を有することから、ブラシ毛が使用者の顔に触れるとき、異なる変形状態となる、又はベースと支持スタンドとの間の異なる相対位置が加わる力の差又は表面輪郭に応じて変化することができる。このようにして、ブラシヘッドは使用者の顔輪郭に応じて使用者の顔にぴったりと適合することができる。
【００２５】
その上、ブラシヘッドのベースが透光性であることから、主本体内に配置した光源によって生ずる光がブラシ毛間の空間からベースを経て出射し、実際使用における清浄化効果を高めることができる。
【００２６】
当然のことながら、種々の変更及び改変を本明細書に記載の構造に対して本発明の範囲又は精神から逸脱することなく行うことができる。上述のことから、本発明は、特許請求の範囲内及びその均等物に納まる限り、本明細書に記載の実施形態に対する変更及び改変をカバーすることを意図する。
【産業上の利用可能性】
【００２７】
本発明は、人間の顔を洗浄する電気クリーニング装置であって、複数のブラシヘッドを屈撓可能に主本体の支持スタンドに組み付け、動力源が伝動シャフト及び支持スタンド経由でブラシヘッドを駆動して振動させるときの揺動の屈撓性が各ブラシヘッドと支持スタンドとの間に生ずることができる、該電気クリーニング装置を企図する。さらに、ブラシヘッドは使用者の顔に一層ぴったりと適合する包囲形状を形成する。
【符号の説明】
【００２８】
100       電気クリーニング装置
110       主本体
112       保持部
112a      開口
112b      外側リング
114       連結部
116       たらい状外側カバー
116a      係止溝
116b      結合部
120       動力源
121       伝動ベース
122       電磁石
122a      ケイ素鋼プレート
122b      磁力線ベース
124       固定ベース
126       振動ベース
128       磁石
130       伝動シャフト
140     支持スタンド
142       伝動部
144       支持部
144a      係止孔
144b, 156  フック
150       ブラシヘッド
151       頂点
152       ベース
152a      開口
154       ブラシ毛
160       光源
150A      第１ブラシヘッド
150B      第２ブラシヘッド
150C      第３ブラシヘッド
θ1,θ2,θ3  円弧角度
E1        第１端部
E2        第２端部
L1        中心軸線
V1        包囲形状
V2        中心
X1        軸線
θA1〜θA7、θB1〜θB4、θC1  フレア角度
154A, 154B, 15C, 154D, 154E, 154F  ブラシ毛
【図１】
2017051586.tif 000003
【図２】
2017051586.tif 000004
【図３】
2017051586.tif 000005
【図４】
2017051586.tif 000006
【図５】
2017051586.tif 000007
【図６】
2017051586.tif 000008
【図７】
2017051586.tif 000009
【外国語明細書】
2017051586000001.pdf